(57)【要約】【課題】消費電力の増加を抑えつつ、サービス停止状態を短縮する。【解決手段】本発明に係る移動通信端末ＵＥは、滞在中のセル＃Ａに対する「ＲＲＣ  Ｃｏｎｎｅｃｔｉｏｎ  Ｒｅｑｕｅｓｔ」の送信にＮ回連続して失敗した場合に、セル＃Ａを棄却セルリストに追加して、セルサーチを行うように構成されている制御部１１を具備しており、制御部１１は、セルサーチを行う際に、棄却セルリストに含まれているセル＃Ａを選択対象のセルから除外するように構成されている。【選択図】図３
2014158248.tif 000002
【特許請求の範囲】
【請求項１】
移動通信端末であって、
滞在中のセルに対するコネクション設定要求信号の送信に所定回数連続して失敗した場合に、該セルを棄却セルリストに追加して、セルサーチを行うように構成されている制御部を具備しており、
前記制御部は、前記セルサーチを行う際に、前記棄却セルリストに含まれているセルを選択対象のセルから除外するように構成されていることを特徴とする移動通信端末。
【請求項２】
前記制御部は、前記セルを前記棄却セルリストに追加した場合に、前記移動通信端末内部で保有する内部タイマーを開始し、該内部タイマーが満了した場合に、該セルを該棄却セルリストから削除するように構成されていることを特徴とする請求項１に記載の移動通信端末。
【請求項３】
前記制御部は、前記セルを前記棄却セルリストに追加した場合に、無線アクセスネットワーク装置によって報知されているパラメータを用いて算出したタイマーを開始し、該タイマーが満了した場合に、該セルを該棄却セルリストから削除するように構成されていることを特徴とする請求項１に記載の移動通信端末。
【請求項４】
前記制御部は、前記セルを前記棄却セルリストに追加した場合に、無線アクセスネットワーク装置によって報知されているタイマーを開始し、該タイマーが満了した場合に、該セルを該棄却セルリストから削除するように構成されていることを特徴とする請求項１に記載の移動通信端末。
【請求項５】
前記制御部は、前記棄却セルリストに含まれていないセルでの通信開始に成功した場合、該棄却セルリスト内のセルを全て削除するように構成されていることを特徴とする請求項１乃至４のいずれか一項に記載の移動通信端末。
【請求項６】
前記制御部は、無線アクセスネットワーク装置によって送信された制御信号に応じて、前記セルサーチを行うか否かについて判定するように構成されていることを特徴とする請求項１乃至５のいずれか一項に記載の移動通信端末。
【請求項７】
無線アクセスネットワーク装置であって、
移動通信端末に対して、制御信号を送信するように構成されている送信部を具備しており、
前記制御信号は、前記移動通信端末に対して、滞在中のセルに対するコネクション設定要求信号の送信に所定回数連続して失敗した場合に、該セルを棄却セルリストに追加して、セルサーチを行うか否かについて指示するように構成されていることを特徴とする無線アクセスネットワーク装置。
【発明の詳細な説明】
【技術分野】
【０００１】
本発明は、移動通信端末及び無線アクセスネットワーク装置に関する。
【背景技術】
【０００２】
３ＧＰＰの仕様において、ＲＲＣコネクションの確立手順について規定されている。本手順は、移動通信端末がネットワークと通信を開始する際に必要な接続を確立するための手順である。
【０００３】
ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）では、移動通信端末ＵＥは、任意のセルに滞在中において通信を開始する場合、無線アクセスネットワーク装置ＲＡＮに対して「ＲＲＣ  Ｃｏｎｎｅｃｔｉｏｎ  Ｒｅｑｕｅｓｔ」を送信し、ＲＲＣコネクションの確立を要求するように構成されている。
【０００４】
ここで、移動通信端末ＵＥは、「ＲＲＣ  Ｃｏｎｎｅｃｔｉｏｎ  Ｒｅｑｕｅｓｔ」の送信時に、変数であるＶ３００を１だけ増加させる。
【０００５】
なお、移動通信端末ＵＥは、「ＲＲＣ  Ｃｏｎｎｅｃｔｉｏｎ  Ｒｅｑｕｅｓｔ」の送信に失敗する場合を考慮して、タイマーＴ３００を管理している。
【０００６】
移動通信端末ＵＥは、かかるタイマーＴ３００が満了した場合に、無線アクセスネットワーク装置ＲＡＮから通知されるＮ３００とＶ３００を比較し、Ｖ３００＞Ｎ３００の場合は、かかる手順を終了する。
【０００７】
一方、Ｅ-ＵＴＲＡＮにおいても、類似の仕様が規定されている。移動通信端末ＵＥは、「ＲＲＣ  Ｃｏｎｎｅｃｔｉｏｎ  Ｒｅｑｕｅｓｔ」に対する無線アクセスネットワーク装置ＲＡＮからの応答がなかった場合のタイマーＴ３００が満了した場合、かかる手順を終了する。
【０００８】
Ｅ-ＵＴＲＡＮにおける手順は、Ｖ３００とＮ３００との比較がないという点で、ＵＴＲＡＮにおける手順と相違する。
【０００９】
ここで、タイマーＴ３００及びＮ３００は、いずれも無線アクセスネットワーク装置から、報知情報として通知される。
【００１０】
図１０に、ＵＴＲＡＮにおけるＲＲＣコネクションの確立手順において無線アクセスネットワーク装置からの応答がなかった場合のシーケンスを示し、図１１に、Ｅ-ＵＴＡＲＮにおけるＲＲＣコネクションの確立手順において無線アクセスネットワーク装置からの応答がなかった場合のシーケンスを示す。
【００１１】
第１に、図１０を参照して、ＵＴＲＡＮにおけるＲＲＣコネクションの確立手順において無線アクセスネットワーク装置からの応答がなかった場合のシーケンスについて説明する。
【００１２】
図１０に示すように、ステップＳ１００１において、ＲＲＣ_ＩＤＬＥ状態の移動通信端末ＵＥは、滞在しているセルを管理する無線アクセスネットワークＵＴＲＡＮから、報知情報によって、「ＲＲＣ  Ｃｏｎｎｅｃｔｉｏｎ  Ｒｅｑｕｅｓｔ」の再送管理を行うためのタイマーＴ３００及び再送回数Ｎ３００を受信して保持する。
【００１３】
ステップＳ１００２において、かかる移動通信端末ＵＥは、ＲＲＣコネクションが確立されていない状態から、パケット通信若しくは音声通信等の開始を試みる。
【００１４】
ステップＳ１００３において、かかる移動通信端末ＵＥは、無線アクセスネットワークＵＴＲＡＮに対して「ＲＲＣ  Ｃｏｎｎｅｃｔｉｏｎ  Ｒｅｑｕｅｓｔ」を送信し、タイマーＴ３００を開始する。
【００１５】
移動通信端末ＵＥは、ステップＳ１００４において、タイマーＴ３００が満了すると、ステップＳ１００５において、Ｖ３００を１だけ増加させ、ステップＳ１００６において、Ｖ３００とＮ３００とを比較する。
【００１６】
Ｖ３００がＮ３００以下である場合、移動通信端末ＵＥは、無線アクセスネットワークＵＴＲＡＮに対して「ＲＲＣ  Ｃｏｎｎｅｃｔｉｏｎ  Ｒｅｑｕｅｓｔ」を再度送信し、ステップＳ１００３〜Ｓ１００６の手順を繰り返す。
【００１７】
一方、Ｖ３００がＮ３００よりも大きい場合、移動通信端末ＵＥは、ＲＲＣコネクションの確立手順が失敗したものとみなし、処理を終了する。
【００１８】
その後、移動通信端末ＵＥは、再度、パケット通信若しくは音声通信等の開始が必要な場合には、ステップＳ１００２以降の手順を繰り返す。
【００１９】
第２に、図１１を参照して、Ｅ-ＵＴＡＲＮにおけるＲＲＣコネクションの確立手順において無線アクセスネットワーク装置からの応答がなかった場合のシーケンスについて説明する。
【００２０】
図１１に示すように、ステップＳ２００１において、ＲＲＣ_ＩＤＬＥ状態の移動通信端末ＵＥは、滞在しているセルを管理する無線アクセスネットワークＥ-ＵＴＲＡＮから、報知情報によって、「ＲＲＣ  Ｃｏｎｎｅｃｔｉｏｎ  Ｒｅｑｕｅｓｔ」の再送管理を行うためのタイマーＴ３００を受信して保持する。
【００２１】
ステップＳ２００２において、かかる移動通信端末ＵＥは、ＲＲＣコネクションが確立されていない状態から、パケット通信若しくは音声通信等の開始を試みる。
【００２２】
ステップＳ２００３において、かかる移動通信端末ＵＥは、無線アクセスネットワークＥ-ＵＴＲＡＮに対して「ＲＲＣ  Ｃｏｎｎｅｃｔｉｏｎ  Ｒｅｑｕｅｓｔ」を送信し、タイマーＴ３００を開始する。
【００２３】
移動通信端末ＵＥは、ステップＳ２００４において、タイマーＴ３００が満了すると、ステップＳ２００５において、ＲＲＣコネクションの確立手順が失敗したものとみなし、処理を終了する。
【００２４】
その後、移動通信端末ＵＥは、再度、パケット通信若しくは音声通信等の開始が必要な場合には、ステップＳ２００２以降の手順を繰り返す。
【先行技術文献】
【特許文献】
【００２５】
【特許文献１】特願平６-１０４８３１
【特許文献２】特開２００９-２９６５３５号公報
【特許文献３】特開２０１２-０４９８７７号公報
【発明の概要】
【発明が解決しようとする課題】
【００２６】
ここで、何らかの理由で、例えば、図１２に示すように、移動通信端末ＵＥが、下り信号の受信電力は十分あるが、上り信号が届かないようなセルに在圏してした場合や、無線アクセスネットワークが輻輳していて応答を返せない場合等で、「ＲＲＣ  Ｃｏｎｎｅｃｔｉｏｎ  Ｒｅｑｕｅｓｔ」に対して無線アクセスネットワークからの応答が得られないケースがある。
【００２７】
具体的な例としては、移動通信端末ＵＥが、沿岸部に滞在中である場合において、物理的に近距離にある無線基地局＃Ａからの電波ではなく、対岸部の無線基地局＃Ｂからの下り信号の受信電力が強いような場合において、無線基地局＃Ｂ配下のセルに在圏するケースが想定される。
【００２８】
このようなケースにおいて、移動通信端末ＵＥが、引き続き同じセルに対して「ＲＲＣ  Ｃｏｎｎｅｃｔｉｏｎ  Ｒｅｑｕｅｓｔ」を送信しても、無線アクセスネットワークから応答を得られない場合がある。
【００２９】
このような場合、利用者は、サービスを受けられない状況が継続してしまう問題点があった。
【００３０】
また、移動通信端末ＵＥとしても、不必要に「ＲＲＣ  Ｃｏｎｎｅｃｔｉｏｎ  Ｒｅｑｕｅｓｔ」の送信を継続するので、消費電力が増加してしまうといった問題点があった。
【００３１】
そこで、本発明は、上述の課題に鑑みてなされたものであり、消費電力の増加を抑えつつ、サービス停止状態を短縮することができる移動通信端末及び無線アクセスネットワーク装置を提供することを目的とする。
【課題を解決するための手段】
【００３２】
本発明の第１の特徴は、移動通信端末であって、滞在中のセルに対するコネクション設定要求信号の送信に所定回数連続して失敗した場合に、該セルを棄却セルリストに追加して、セルサーチを行うように構成されている制御部を具備しており、前記制御部は、前記セルサーチを行う際に、前記棄却セルリストに含まれているセルを選択対象のセルから除外するように構成されていることを要旨とする。
【００３３】
本発明の第２の特徴は、無線アクセスネットワーク装置であって、移動通信端末に対して、制御信号を送信するように構成されている送信部を具備しており、前記制御信号は、前記移動通信端末に対して、滞在中のセルに対するコネクション設定要求信号の送信に所定回数連続して失敗した場合に、該セルを棄却セルリストに追加して、セルサーチを行うか否かについて指示するように構成されていることを要旨とする。
【発明の効果】
【００３４】
以上説明したように、本発明によれば、消費電力の増加を抑えつつ、サービス停止状態を短縮することができる移動通信端末及び無線アクセスネットワーク装置を提供することができる。
【図面の簡単な説明】
【００３５】
【図１】本発明の第１の実施形態に係る移動通信システムの全体構成図である。
【図２】本発明の第１の実施形態に係る移動通信端末の機能ブロック図である。
【図３】本発明の第１の実施形態に係る移動通信端末の動作を示すフローチャートである。
【図４】本発明の第１の実施形態に係る移動通信端末の動作を示すフローチャートである。
【図５】本発明の第１の実施形態に係る移動通信端末の動作を示すフローチャートである。
【図６】本発明の第１の実施形態に係る移動通信端末の動作を示すフローチャートである。
【図７】本発明の変更例１に係る無線アクセスネットワーク装置の機能ブロック図である。
【図８】本発明の変更例１に係る無線アクセスネットワーク装置によって送信される制御信号の一例について示す図である。
【図９】本発明の変更例１に係る移動通信システムの動作を示すシーケンス図である。
【図１０】従来技術を説明するための図である。
【図１１】従来技術を説明するための図である。
【図１２】従来技術を説明するための図である。
【発明を実施するための形態】
【００３６】
（本発明の第１の実施形態に係る移動通信システム）
図１乃至図６を参照して、本発明の第１の実施形態に係る移動通信システムについて説明する。本実施形態では、本実施形態に係る移動通信システムとして、ＷＣＤＭＡ方式やＬＴＥ方式の移動通信システムを例示して説明するが、本発明は、ＷＣＤＭＡ方式やＬＴＥ方式以外の移動通信システムにも適用可能である。
【００３７】
図１に示すように、本実施形態に係る移動通信システムは、無線アクセスネットワーク装置ＲＡＮと、移動通信端末ＵＥとを具備している。
【００３８】
ここで、ＷＣＤＭＡ方式の無線アクセスネットワーク装置ＲＡＮは、無線回線制御局ＲＮＣであり、ＬＴＥ方式の無線アクセスネットワーク装置ＲＡＮは、無線基地局ｅＮＢである。
【００３９】
図２（ａ）に示すように、本実施形態に係る移動通信端末ＵＥは、制御部１１と、管理部１２とを具備している。
【００４０】
制御部１１は、移動通信端末ＵＥにおける各種制御、例えば、通信制御全般を処理するように構成されている。
【００４１】
管理部１２は、後述する棄却セルリストやタイマーＴｘｘ１〜Ｔｘｘ３等を管理するように構成されている。
【００４２】
図２（ｂ）に、後述する棄却時間管理方法＃Ａ〜＃Ｃが適用される場合の棄却セルリストの一例を示し、図２（ｃ）に、後述する棄却時間管理方法＃Ｄが適用される場合の棄却セルリストの一例を示す。
【００４３】
ここで、制御部１１は、移動通信端末ＵＥが滞在中のセル＃Ａに対する「ＲＲＣ  Ｃｏｎｎｅｃｔｉｏｎ  Ｒｅｑｕｅｓｔ」の送信にＮ回連続して失敗した場合に、セル＃Ａを棄却セルリストに追加して、セルサーチを行うように構成されている。
【００４４】
例えば、ＵＴＲＡＮでは「Ｎ＝Ｎ３００×Ｍ」であり、Ｅ-ＵＲＡＮでは「Ｎ＝Ｍ」である。なお、「Ｍ」は、移動通信端末ＵＥによって固有に保有されている値であってもよいし、無線アクセスネットワーク装置ＲＡＮによって報知されるパラメータであってもよい。
【００４５】
また、制御部１１は、セルサーチを行う際に、棄却セルリストに含まれているセル＃Ａを選択対象のセルから除外するように構成されている
なお、制御部１１は、棄却セルリストにセル＃Ａを追加してから一定期間経過後に、かかる棄却リストからセル＃Ａを削除するように構成されている。
【００４６】
例えば、棄却時間管理方法＃Ａが適用されている場合、制御部１１は、セル＃Ａを棄却セルリストに追加した場合に、移動通信端末ＵＥ内部で保有する内部タイマーＴｘｘ１を開始し、内部タイマーＴｘｘ１が満了した場合に、セル＃Ａを棄却セルリスト（図２（ｂ）参照）から削除するように構成されている。
【００４７】
また、棄却時間管理方法＃Ｂが適用されている場合、制御部１１は、セル＃Ａを棄却セルリストに追加した場合に、無線アクセスネットワーク装置ＲＡＮによって報知されているＴ３００/Ｎ３００を用いて算出したタイマーＴｘｘ２を開始し、タイマーＴｘｘ２が満了した場合に、セル＃Ａを棄却セルリスト（図２（ｂ）参照）から削除するように構成されている。
【００４８】
ここで、制御部１１は、ＵＴＲＡＮでは、「Ｔ３００×Ｎ３００×Ｌ」によってタイマーＴｘｘ２を算出するように構成されていてもよい。なお、「Ｌ」は、移動通信端末ＵＥによって固有に保有されている値であってもよいし、無線アクセスネットワーク装置ＲＡＮによって報知されるパラメータであってもよい。
【００４９】
また、棄却時間管理方法＃Ｃが適用されている場合、制御部１１は、セル＃Ａを棄却セルリストに追加した場合に、無線アクセスネットワーク装置ＲＡＮによって報知されているタイマーＴｘｘ３を開始し、タイマーＴｘｘ３が満了した場合に、セル＃Ａを棄却セルリスト（図２（ｂ）参照）から削除するように構成されている。
【００５０】
さらに、棄却時間管理方法＃Ｄが適用されている場合、制御部１１は、棄却セルリスト（図２（ｃ）参照）に含まれていないセルでの通信開始に成功した場合、かかる棄却セルリスト内のセルを全て削除するように構成されている。
【００５１】
ここで、棄却時間管理方法＃Ａ〜＃Ｃのいずれか１つと棄却時間管理方法＃Ｄとを組み合わせて適用してもよい。
【００５２】
また、棄却時間管理方法＃Ａ〜＃Ｃが適用されている場合には、図２（ｂ）に示すように、管理部１２は、セルごとに、タイマーＴｘｘ１〜Ｔｘｘ３（タイマーＴｘｘｘ）を独立して管理するように構成されている。
【００５３】
以下、図３乃至図６を参照して、本実施形態に係る移動通信システムの動作、具体的には、本実施形態に係る移動通信端末ＵＥの動作について説明する。
【００５４】
第１に、図３を参照して、移動通信端末ＵＥが、音声通信若しくはパケット通信の開始を試みてから、棄却セルリストにセルを追加してセルサーチを実行するまでの動作について説明する。
【００５５】
図３に示すように、移動通信端末ＵＥは、ステップＳ１０１において、音声通信若しくはパケット通信の開始を試みる場合、ステップＳ１０２において、滞在中のセルを管理する無線アクセスネットワーク装置ＲＡＮに対して「ＲＲＣ  Ｃｏｎｎｅｃｔｉｏｎ  Ｒｅｑｕｅｓｔ」を送信し、タイマーＴ３００を開始する。
【００５６】
移動通信端末ＵＥは、ステップＳ１０３において、無線アクセスネットワーク装置ＲＡＮから「ＲＲＣ  Ｃｏｎｎｅｃｔｉｏｎ  Ｒｅｑｕｅｓｔ」に対する応答を受信すると、ステップＳ１０４において、ＲＲＣコネクションの確立手順を継続する。
【００５７】
一方、移動通信端末ＵＥは、ステップＳ１０３において、無線アクセスネットワーク装置ＲＡＮから「ＲＲＣ  Ｃｏｎｎｅｃｔｉｏｎ  Ｒｅｑｕｅｓｔ」に対する応答を受信することなく、ステップＳ１０５において、タイマーＴ３００の満了を検出すると、ステップＳ１０６において、Ｖ３００を１だけ増加させ、Ｖ３００とＮ３００とを比較する。
【００５８】
Ｖ３００がＮ３００よりも大きいと判断された場合、本動作は、ステップＳ１０８に進み、Ｖ３００がＮ３００よりも大きいと判断されなかった場合、本動作は、ステップＳ１０２に戻る。
【００５９】
移動通信端末ＵＥは、ステップＳ１０８において、ステップＳ１０２〜Ｓ１０７の動作がＭ回連続して失敗していないと判断すると、ステップＳ１０９において、ＲＲＣコネクションの確立手順を失敗したものとみなす。
【００６０】
一方、移動通信端末ＵＥは、ステップＳ１０８において、ステップＳ１０２〜Ｓ１０７の動作がＭ回連続して失敗したと判断すると、ステップＳ１１０において、上述の滞在中のセルを棄却セルリストに追加し、ステップＳ１１１において、セルサーチを実行する。
【００６１】
なお、かかる動作がＥ-ＵＴＲＡＮで行われる場合、ステップＳ１０６及びＳ１０７は省略される。
【００６２】
第２に、図４を参照して、移動通信端末ＵＥがセルサーチを実行する際の動作について説明する。
【００６３】
図４に示すように、移動通信端末ＵＥは、ステップＳ２０１において、セルサーチを開始すると、ステップＳ２０２において、セルサーチにおいて検出されたセルが棄却セルリストに含まれているか否かについて判定する。
【００６４】
移動通信端末ＵＥは、セルサーチにおいて検出されたセルが棄却セルリストに含まれていると判断した場合には、ステップＳ２０１において、再度、セルサーチを行う。
【００６５】
一方、移動通信端末ＵＥは、セルサーチにおいて検出されたセルが棄却セルリストに含まれていないと判断した場合には、ステップＳ２０３において、かかるセルに在圏する。
【００６６】
第３に、図５を参照して、棄却時間管理方法＃Ａ〜＃Ｃが適用されている場合に移動通信端末ＵＥが棄却セルリストを管理する際の動作について説明する。
【００６７】
図５に示すように、移動通信端末ＵＥは、ステップＳ３０１において、セル＃Ａを棄却セルリストに追加すると、ステップＳ３０２Ａ〜Ｓ３０２Ｃにおいて、棄却時間管理方法＃Ａ〜＃Ｃで用いられるタイマーＴｘｘ１〜Ｔｘｘ３を取得して、ステップ３０３において、タイマーＴｘｘ１〜Ｔｘｘ３を開始する。
【００６８】
移動通信端末ＵＥは、ステップＳ３０４において、タイマーＴｘｘ１〜Ｔｘｘ３の満了を検出すると、ステップＳ３０５において、セル＃Ａを棄却セルリストから削除する。
【００６９】
第４に、図６を参照して、棄却時間管理方法＃Ｄが適用されている場合に移動通信端末ＵＥが棄却セルリストを管理する際の動作について説明する。
【００７０】
図６に示すように、移動通信端末ＵＥは、ステップＳ４０１において、セル＃Ａを棄却セルリストに追加すると、ステップＳ４０２において、棄却セルリストに含まれていないセルでの通信開始の成功を監視する。
【００７１】
移動通信端末ＵＥは、棄却セルリストに含まれていないセルでの通信開始の成功を検出すると、ステップＳ４０３において、セル＃Ａを棄却セルリストから削除する。
【００７２】
ここで、棄却セルリストに複数のセルが登録されている場合は、移動通信端末ＵＥは、登録されているセル全てを消去してもよい。
【００７３】
一方、移動通信端末ＵＥは、棄却セルリストに含まれていないセルでの通信開始の成功を検出しない場合、ステップＳ４０４において、何も行わない。
【００７４】
本実施形態に係る移動通信システムによれば、何らかの理由で、Ｎ回連続して「ＲＲＣ  Ｃｏｎｎｅｃｔｉｏｎ  Ｒｅｑｕｅｓｔ」が無線アクセスネットワーク装置ＲＡＮに届かなかった場合、若しくは、「ＲＲＣ  Ｃｏｎｎｅｃｔｉｏｎ  Ｒｅｑｕｅｓｔ」に対する無線アクセスネットワーク装置ＲＡＮからの応答が受信されなかった場合であっても、移動通信端末ＵＥは、滞在中のセル以外のセルにおいて通信を開始することができる。
【００７５】
また、本実施形態に係る移動通信システムによれば、移動通信端末ＵＥは、必要以上に、滞在中のセルにおいて「ＲＲＣ  Ｃｏｎｎｅｃｔｉｏｎ  Ｒｅｑｕｅｓｔ」を送信することがなくなり移動通信端末ＵＥの消費電力の消費を軽減できる。
【００７６】
（変更例１）
以下、図７乃至図９を参照して、本発明の変更例１に係る移動通信システムについて、上述の第１の実施形態に係る移動通信システムとの相違点に着目して説明する。
【００７７】
図７に示すように、本変更例１に係る無線アクセスネットワーク装置ＲＡＮは、送信部２１を具備している。
【００７８】
送信部２１は、移動通信端末ＵＥに対して、各種信号を送信するように構成されている。具体的には、送信部２１は、移動通信端末ＵＥに対して「ＮＷ  Ｉｎｄｉｃａｔｏｒ（Ｉ）」を送信するように構成されている。ここで、送信部２１は、配下のセルにおいて「ＮＷ  Ｉｎｄｉｃａｔｏｒ（Ｉ）」を報知するように構成されていてもよい。
【００７９】
かかる「ＮＷ  Ｉｎｄｉｃａｔｏｒ（Ｉ）」は、移動通信端末ＵＥに対して、滞在中のセル＃Ａに対する「ＲＲＣ  Ｃｏｎｎｅｃｔｉｏｎ  Ｒｅｑｕｅｓｔ」の送信にＮ回連続して失敗した場合に、セル＃Ａを棄却セルリストに追加して、セルサーチを行うか否かについて指示するように構成されている。
【００８０】
例えば、図８に示すように、かかる「ＮＷ  Ｉｎｄｉｃａｔｏｒ（Ｉ）」は、「１」が設定されている場合、移動通信端末ＵＥに対して、図３乃至図６のいずれか１つの制御を行うように指示し、「０」が設定されている場合、移動通信端末ＵＥに対して、通常の制御（通常のＲＲＣコネクション設定手順）を行うように指示する。
【００８１】
すなわち、移動通信端末ＵＥの制御部１１は、無線アクセスネットワーク装置ＲＡＮによって送信された「ＮＷ  Ｉｎｄｉｃａｔｏｒ（Ｉ）」に応じて、上述のセルサーチを行うか否かについて判定するように構成されていてもよい。
【００８２】
例えば、移動通信端末ＵＥの制御部１１は、無線アクセスネットワーク装置ＲＡＮによって送信された「ＮＷ  Ｉｎｄｉｃａｔｏｒ（Ｉ）」に「１」が設定されている場合には、図３に示す制御を行うように構成されていてもよい。
【００８３】
或いは、移動通信端末ＵＥの制御部１１は、無線アクセスネットワーク装置ＲＡＮによって送信された「ＮＷ  Ｉｎｄｉｃａｔｏｒ（Ｉ）」に「１」が設定されている場合には、図４に示す制御を行うように構成されていてもよい。
【００８４】
或いは、移動通信端末ＵＥの制御部１１は、無線アクセスネットワーク装置ＲＡＮによって送信された「ＮＷ  Ｉｎｄｉｃａｔｏｒ（Ｉ）」に「１」が設定されている場合には、図５に示す制御を行うように構成されていてもよい。
【００８５】
或いは、移動通信端末ＵＥの制御部１１は、無線アクセスネットワーク装置ＲＡＮによって送信された「ＮＷ  Ｉｎｄｉｃａｔｏｒ（Ｉ）」に「１」が設定されている場合には、図６に示す制御を行うように構成されていてもよい。
【００８６】
一方、移動通信端末ＵＥの制御部１１は、無線アクセスネットワーク装置ＲＡＮによって送信された「ＮＷ  Ｉｎｄｉｃａｔｏｒ（Ｉ）」に「０」が設定されている場合には、図３乃至図６に示す制御を行うことなく通常の制御（通常のＲＲＣコネクション設定手順）を行うように構成されていてもよい。
【００８７】
以下、図９を参照して、本変更例１に係る移動通信システムの動作について説明する。
【００８８】
図９に示すように、ステップＳ３００１において、無線アクセスネットワーク装置ＲＡＮは、移動通信端末ＵＥに対して、「ＮＷ  Ｉｎｄｉｃａｔｏｒ（Ｉ）」を送信する。
【００８９】
ステップＳ３００２において、移動通信端末ＵＥは、「ＮＷ  Ｉｎｄｉｃａｔｏｒ（Ｉ）」に「１」が設定されている場合には、図３乃至図６のいずれかの制御を行う。
【００９０】
ステップＳ３００２において、移動通信端末ＵＥは、「ＮＷ  Ｉｎｄｉｃａｔｏｒ（Ｉ）」に「０」が設定されている場合には、図３乃至図６に示す制御を行うことなく通常の制御（通常のＲＲＣコネクション設定手順）を行う。
【００９１】
以上に述べた本実施形態の特徴は、以下のように表現されていてもよい。
【００９２】
本実施形態の第１の特徴は、移動通信端末ＵＥであって、滞在中のセル＃Ａに対する「ＲＲＣ  Ｃｏｎｎｅｃｔｉｏｎ  Ｒｅｑｕｅｓｔ（コネクション設定要求信号）」の送信にＮ回（所定回数）連続して失敗した場合に、セル＃Ａを棄却セルリストに追加して、セルサーチを行うように構成されている制御部１１を具備しており、制御部１１は、セルサーチを行う際に、棄却セルリストに含まれているセル＃Ａを選択対象のセルから除外するように構成されていることを要旨とする。
【００９３】
本実施形態の第１の特徴において、制御部１１は、セル＃Ａを棄却セルリストに追加した場合に、移動通信端末ＵＥ内部で保有する内部タイマーＴｘｘ１を開始し、内部タイマーＴｘｘ１が満了した場合に、セル＃Ａを棄却セルリストから削除するように構成されていてもよい。
【００９４】
本実施形態の第１の特徴において、制御部１１は、セル＃Ａを棄却セルリストに追加した場合に、無線アクセスネットワーク装置ＲＡＮによって報知されているＴ３００/Ｎ３００（パラメータ）を用いて算出したタイマーＴｘｘ２を開始し、タイマーＴｘｘ２が満了した場合に、セル＃Ａを棄却セルリストから削除するように構成されていてもよい。
【００９５】
本実施形態の第１の特徴において、制御部１１は、セル＃Ａを棄却セルリストに追加した場合に、無線アクセスネットワーク装置ＲＡＮによって報知されているタイマーＴｘｘ３を開始し、タイマーＴｘｘ３が満了した場合に、セル＃Ａを棄却セルリストから削除するように構成されていてもよい。
【００９６】
本実施形態の第１の特徴において、制御部１１は、棄却セルリストに含まれていないセルでの通信開始に成功した場合、かかる棄却セルリスト内のセルを全て削除するように構成されていてもよい。
【００９７】
本実施形態の第１の特徴において、制御部１１は、無線アクセスネットワーク装置ＲＡＮによって送信された「ＮＷ  Ｉｎｄｉｃａｔｏｒ（制御信号）」に応じて、上述のセルサーチを行うか否かについて判定するように構成されていてもよい。
【００９８】
本実施形態の第２の特徴は、無線アクセスネットワーク装置ＲＡＮであって、移動通信端末ＵＥに対して、「ＮＷ  Ｉｎｄｉｃａｔｏｒ」を送信するように構成されている送信部２１を具備しており、かかる「ＮＷ  Ｉｎｄｉｃａｔｏｒ」は、移動通信端末ＵＥに対して、滞在中のセル＃Ａに対する「ＲＲＣ  Ｃｏｎｎｅｃｔｉｏｎ  Ｒｅｑｕｅｓｔ」の送信にＮ回連続して失敗した場合に、セル＃Ａを棄却セルリストに追加して、セルサーチを行うか否かについて指示するように構成されていることを要旨とする。
【００９９】
なお、上述の無線アクセスネットワーク装置ＲＡＮや移動通信端末ＵＥの動作は、ハードウェアによって実施されてもよいし、プロセッサによって実行されるソフトウェアモジュールによって実施されてもよいし、両者の組み合わせによって実施されてもよい。
【０１００】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線アクセスネットワーク装置ＲＡＮや移動通信端末ＵＥ内に設けられていてもよい。また、かかる記憶媒体及びプロセッサは、ディスクリートコンポーネントとして無線アクセスネットワーク装置ＲＡＮや移動通信端末ＵＥ内に設けられていてもよい。
【０１０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０３】
ＲＡＮ…無線アクセスネットワーク装置
ＵＥ…移動通信端末
１１…制御部
１２…管理部
【図１】
2014158248.tif 000003
【図２】
2014158248.tif 000004
【図３】
2014158248.tif 000005
【図４】
2014158248.tif 000006
【図５】
2014158248.tif 000007
【図６】
2014158248.tif 000008
【図７】
2014158248.tif 000009
【図８】
2014158248.tif 000010
【図９】
2014158248.tif 000011
【図１０】
2014158248.tif 000012
【図１１】
2014158248.tif 000013
【図１２】
2014158248.tif 000014